(57)【特許請求の範囲】
【請求項１】
扉取付体の側板開口部に、扉の基端側を蝶着して開閉扉自在としたヒンジにおいて、扉の裏面基側端に取着して使用される第１リンク部材と、その扉自由端側に第１枢軸を介して連枢される第２リンク部材と、その他端部に第２枢軸を介して連枢された第３リンク部材と、当該第３リンク部材の他端部には第３枢軸を介して連枢された第１挟着用リンク部材と、前記した第１リンク部材の他端部と第４枢軸を介して第１リンク部材と並行状となるよう連枢された基板部と、これより第１リンク部材から離間する方向へ曲折された押当部とからなる第２挟着用リンク部材と、前記扉取付体における扉の基端側に配設された側板にあって、その先出側端部から扉自由端側へ直交状に曲折した内向側板部より、前記第１リンク部材に向け曲折して延設された挟持側板部につき、その内側面と外側面とに夫々前記の第１挟着用リンク部材と第２挟着用リンク部材の押当部とを、直接または間接に挟着当接して固定するための締着用部材とが備えられていることを特徴とするヒンジ。
【請求項２】
扉取付体の側板開口部に、扉の基端側を蝶着して開閉扉自在とし、かつ当該扉を所定の開扉角度に保持自在とするステイ機構部を具備したヒンジにおいて、扉の裏面基側端に取着して使用される第１リンク部材と、その扉自由端側に第１枢軸を介して連枢される第２リンク部材と、その他端部に第２枢軸を介して連枢された第３リンク部材と、当該第３リンク部材の他端部には第３枢軸を介して連枢された第１挟着用リンク部材と、前記した第１リンク部材の他端部と第４枢軸を介して第１リンク部材と並行状となるよう連枢された基板部と、これより第１リンク部材から離間する方向へ曲折された押当部とからなる第２挟着用リンク部材と、前記扉取付体における扉の基端側に配設された側板にあって、その先出側端部から扉自由端側へ直交状に曲折した内向側板部より、前記第１リンク部材に向け曲折して延設された挟持側板部につき、その内側面と外側面とに夫々前記の第１挟着用リンク部材と第２挟着用リンク部材の押当部とを、直接または間接に挟着当接して固定するための締着用部材とが備えられていることを特徴とするヒンジ。
【請求項３】
扉取付体の側板開口部に、扉の基端側を蝶着して開閉扉自在とし、かつ当該扉を所定の開扉角度に保持自在とするステイ機構部を具備したヒンジにおいて、扉の裏面基側端に取着して使用される第１リンク部材と、その扉自由端側に第１枢軸を介して連枢される第２リンク部材と、その他端部には前記のステイ機構部を具有した第２枢軸を介して連枢された第３リンク部材と、当該第３リンク部材の他端部には第３枢軸を介して連枢された第１挟着用リンク部材と、前記した第１リンク部材の他端部と第４枢軸を介して第１リンク部材と並行状となるよう連枢された基板部と、これより第１リンク部材から離間する方向へ曲折された押当部とからなる第２挟着用リンク部材と、前記扉取付体における扉の基端側に配設された側板にあって、その先出側端部から扉自由端側へ直交状に曲折した内向側板部より、前記第１リンク部材に向け曲折して延設された挟持側板部につき、その内側面と外側面とに夫々前記の第１挟着用リンク部材と第２挟着用リンク部材の押当部とを、直接または間接に挟着当接して固定するための締着用部材とが備えられていることを特徴とするヒンジ。
【請求項４】
締着用部材が、第１挟着用リンク部材と側板の挟持側板部そして第２挟着用リンク部材の押当部に順次嵌装の締着用ボルトと、当該締着用ボルトに螺合して前記の第１挟着用リンク部材か挟持側板部に締着されるナットとにより構成されている請求項１ないし請求項３のいずれか一項に記載のヒンジ。
【請求項５】
締着用部材が、第２挟着用リンク部材における押当部から突設された螺杆と、当該螺杆が第１挟着用リンク部材に貫装されて突出の先端螺部に螺合して、当該第１挟着用リンク部材に締着される螺杆用ナットとにより構成されている請求項１ないし請求項３のいずれか一項に記載のヒンジ。
【発明の詳細な説明】
【０００１】
【発明の属する技術分野】
本発明は各種物品を出し入れする保管庫等の扉を、開閉自在に蝶着するためのヒンジに関し、閉扉状態とか所定の開扉角度で当該扉を保持することができ、不本意に開扉してしまったり、物品の出し入れ作業中に扉が閉扉してしまうといったことのないように保持したり、また風によって扉が煽てられることのないようにしたヒンジ（ステイヒンジ）をも含むものである。
【０００２】
【従来の技術】
既知の通り従来のステイヒンジＡなどにあっては、図６に例示のように第１リンク部材ａと第２リンク部材ｂとを軸ピンｃによって開閉動自在なるよう枢着し、当該第１、第２リンク部材ａ、ｂ間にあって、第３、第４リンク部材ｄ、ｅと、コイルスプリングなどを用いたステイ機構部ｆとからなる連枢制御部ｇが連装されたもの（特開平１０−２６６６８５号公報）である。
従って、これを使用する際には第１リンク部材ａの第１取着用板ａ１を、その第１取着孔ａ２の利用により扉取付体の側板Ｂにビス止めすると共に、扉Ｄには、第２リンク部材ｂの第２取着用板ｂ１を、その第２取着孔ｂ２の利用によってビス止めすることとなる。
【０００３】
ところで、この種のステイヒンジＡ等にあっては、前記の如く風によって扉Ｄが煽られたり、所定の開扉角度を保持するといった際、可成りの外力を受けることになり、このため、当該大きな外力によって第１取付用板ａ１の側板Ｂに対するビス止めと、第２取付用板ｂの扉Ｄに対するビス止めによる固定状態が弛緩されてしまうことになり、この結果その耐久性と取着強度の点で充分に満足できる結果を得ることができないものとなっている。
【０００４】
【発明が解決しようとする課題】
本発明では上記従来のヒンジがもつ欠陥に鑑み検討されたもので、単に一対のリンク部材を夫々扉取付体と扉とに取着して使用するのではなしに、予め扉取付板における側板にあって、その扉側に曲成した側板開口部なるものを設けておき、第１リンク部材は扉の裏面基端部に取着するのであるが、第１リンク部材に第２リンク部材を介して連枢した第３リンク部材に対して、さらに連枢した第１挟着用リンク部材と、第１リンク部材に枢支した第２挟着用リンク部材との間に、上記した側板開口部における挟持側板部を挟装し、この挟装状態を締着用部材の締め付けにより固定することで、当該固定強度を大幅に増大可能として、不測の損傷を回避して大きな外力を受けるヒンジとしての耐久性を改善しようとするのが、その目的である。
【０００５】
さらに請求項２にあっては、扉を所定の開扉角度に保持自在とするステイ機構部を所望箇所に設けるように具備しているヒンジに関して、請求項１と同じ構成を採択することで、上記したヒンジとしての耐久性を改善しようとするのが、その目的である。
【０００６】
次に請求項３では、上記請求項２の如きステイヒンジにおいて前記の第１リンク部材と第２リンク部材とを、ダンパーとか弾性体や係止用部材等によって構成されることとなるステイ機構部の具備された枢軸を介して連枢することにより、外部にスプリング等の部材が露呈してしまうといった構成ではなしに、簡潔なる軸承機構の外観を保有した状態でステイヒンジとしての効用を発揮可能とするのが、その目的である。
【０００７】
そして、請求項４と請求項５は、上記の請求項１ないし請求項３にあって、その締着用部材を夫々適切に構成し、これによりその組み立て作業の効率化を図ろうとしている。
【０００８】
【課題を解決するための手段】
本発明は、上記の目的を達成するため、請求項１にあっては扉取付体の側板開口部に、扉の基端側を蝶着して開閉扉自在としたヒンジにおいて、扉の裏面基側端に取着して使用される第１リンク部材と、その扉自由端側に第１枢軸を介して連枢される第２リンク部材と、その他端部に第２枢軸を介して連枢された第３リンク部材と、当該第３リンク部材の他端部には第３枢軸を介して連枢された第１挟着用リンク部材と、前記した第１リンク部材の他端部と第４枢軸を介して第１リンク部材と並行状となるよう連枢された基板部と、これより第１リンク部材から離間する方向へ曲折された押当部とからなる第２挟着用リンク部材と、前記扉取付体における扉の基端側に配設された側板にあって、その先出側端部から扉自由端側へ直交状に曲折した内向側板部より、前記第１リンク部材に向け曲折して延設された挟持側板部につき、その内側面と外側面とに夫々前記の第１挟着用リンク部材と第２挟着用リンク部材の押当部とを、直接または間接に挟着当接して固定するための締着用部材とが備えられていることを特徴とするヒンジ提供しようとしている。
【０００９】
請求項２にあっては、扉取付体の側板開口部に、扉の基端側を蝶着して開閉扉自在とし、かつ当該扉を所定の開扉角度に保持自在とするステイ機構部を具備したヒンジにおいて、扉の裏面基側端に取着して使用される第１リンク部材と、その扉自由端側に第１枢軸を介して連枢される第２リンク部材と、その他端部に第２枢軸を介して連枢された第３リンク部材と、当該第３リンク部材の他端部には第３枢軸を介して連枢された第１挟着用リンク部材と、前記した第１リンク部材の他端部と第４枢軸を介して第１リンク部材と並行状となるよう連枢された基板部と、これより第１リンク部材から離間する方向へ曲折された押当部とからなる第２挟着用リンク部材と、前記扉取付体における扉の基端側に配設された側板にあって、その先出側端部から扉自由端側へ直交状に曲折した内向側板部より、前記第１リンク部材に向け曲折して延設された挟持側板部につき、その内側面と外側面とに夫々前記の第１挟着用リンク部材と第２挟着用リンク部材の押当部とを、直接または間接に挟着当接して固定するための締着用部材とが備えられていることを特徴とするヒンジを提供しようとしている。
【００１０】
請求項３に係るヒンジでは、扉取付体の側板開口部に、扉の基端側を蝶着して開閉扉自在とし、かつ当該扉を所定の開扉角度に保持自在とするステイ機構部を具備したヒンジにおいて、扉の裏面基側端に取着して使用される第１リンク部材と、その扉自由端側に第１枢軸を介して連枢される第２リンク部材と、その他端部には前記のステイ機構部を具有した第２枢軸を介して連枢された第３リンク部材と、当該第３リンク部材の他端部には第３枢軸を介して連枢された第１挟着用リンク部材と、前記した第１リンク部材の他端部と第４枢軸を介して第１リンク部材と並行状となるよう連枢された基板部と、これより第１リンク部材から離間する方向へ曲折された押当部とからなる第２挟着用リンク部材と、前記扉取付体における扉の基端側に配設された側板にあって、その先出側端部から扉自由端側へ直交状に曲折した内向側板部より、前記第１リンク部材に向け曲折して延設された挟持側板部につき、その内側面と外側面とに夫々前記の第１挟着用リンク部材と第２挟着用リンク部材の押当部とを、直接または間接に挟着当接して固定するための締着用部材とが備えられていることを特徴としている。
【００１１】
そして請求項４と請求項５にあっては、何れも請求項１ないし請求項３における締着用部材の構成につき夫々の一実施態様を示しており、前者の締着用部材では、第１挟着用リンク部材と側板の挟持側板部そして第２挟着用リンク部材の押当部に順次嵌装の締着用ボルトと、当該締着用ボルトに螺合して前記の第１挟着用リンク部材か挟持側板部に締着されるナットとにより構成され、後者の締着用部材にあっては、第２挟着用リンク部材における押当部から突設された螺杆と、当該螺杆が第１挟着用リンク部材に貫装されて突出の先端螺部に螺合して、当該第１挟着用リンク部材に締着される螺杆用ナットとにより構成されていることを、その内容としている。
【００１２】
【発明の実施の形態】
本発明につき図１ないし図５を参照して以下詳記すると、ここに開示のヒンジはステイヒンジであり、扉取付体１の側板開口部１ａに、扉の基端側２ａを蝶着して開閉自在とするだけでなく、当該扉２を図１に例示の如く閉扉状態とか、所定の開扉角度θ１、θ２にあって保持自在とするための各種のステイ機構部Ｓが具備されている。
さて請求項１では、扉の裏面基端部２ｂに取着して使用される第１リンク部材３Ａと、その扉自由端側２ｃに縦装した第１枢軸４Ａを介して連枢した第２リンク部材３Ｂとを具有し、図２、図４、図５に開示の如く、第１リンク部材３Ａは取着孔３ａを穿設した軸承座板３ｄと、他側端に巻成された図３ないし図５に開示の軸承管３ｅとを備えており、第１枢軸４Ａは、上記軸承座板３ｄと第２リンク部材３Ｂの基端部とに貫装軸支されている。
【００１３】
ここで、上記した第１リンク部材３Ａの扉２に対する取着手段としては、前記の取着孔３ａを用いたビス止めによるとか、扉２が金属製であれば、取着板３ｂを扉２に溶接するようにしてもよく、図中３ｆは軸承座板３ｄに開設した第１枢軸４Ａ用の第１軸承孔、３ｇは図４の如く当該第１枢軸４Ａ用である第２リンク部材３Ｂの基端側に開設した第２軸承孔を示している。
さらに前記第２リンク部材３Ｂの他端部には、第２枢軸４Ｂを介して連枢された第３リンク部材３Ｃが設けられ、この第３リンク部材３Ｃの他端部にあって、第３枢軸４Ｃを介して第１挟着用リンク部材３Ｄが連枢されている。
【００１４】
次に前記した第１リンク部材３Ａの他端部には、第２挟着用リンク部材３Ｅを連枢するのであるが、これは上下に連枢管３ｈ、３ｈを設けた基板部３ｉと、これより曲折された押当部３ｊとによってＬ字状に形成されており、前記した軸承管３ｅとその上下に挟装した連枢管３ｈ、３ｈとに第４枢軸４Ｄを貫挿するようにしており、かくして基板部３ｉは第１リンク部材３Ａと平行状となった際、押当部３ｊは第１リンク部材３Ａから離間する方向へ曲折されることになる。
ここで、扉取付体１における扉の基端側２ａにあって配設された側板１ｂには、特殊な曲設形状をもたせるようにしており、当該側板１ｂにあって、その側板開口部１ａ側における先出側端部１ｃから、扉自由端側２へ向け直交状に曲折した内向側板部１ｄから、前記した第１リンク部材３Ａに向け曲折して延設された挟持側板部１ｅについて、その内側面１ｆと外側面１ｇとに、夫々前記の第１挟着用リンク部材３Ｄと第２挟着用リンク部材３Ｅの押当部３ｊとを、座金等を用い、または用いることなく、従って直接または間接に挟装当接して、挟当固定するための締着用部材５が具備されている。
【００１５】
上記のように請求項１に係るヒンジによるときは、第１リンク部材３Ａは扉２にビスとか溶接手段により固設するが、扉取付本体１の側板１ｂに対する固着手段が、これまでのように側板１ｂの内面に対するビス止めや溶接によるのではなく、側板１ｂに形成の挟持側板部１ｅを、第１挟着用リンク部材３Ｄと第２挟着用リンク部材３Ｅとによって挟み込み、この状態を締着用部材５によって挟着固定するよう構成したので、当該固定強度が大となり、扉２が風によって煽られるようなことがあっても、充分に耐えることができる。
なお図示例では扉２における扉の基端側２ａから側板１ｂの先出側端部１ｃに向けてコーナ曲折部２ｄを延設するようにして、これに第１リンク部材３Ａの軸承管３ｅを押当させるようにしたので、第１リンク部材３Ａの扉２に対する固定状態の強度を、さらに補強することができる。
なお、ここで図示の第１挟着用リンク部材３Ｄは、挟着板３ｋとその縦装方向中央部から突設した一対の連枢座板３ｍ、３ｎとにより構成され、当該連枢座板３ｍ、３ｎ間に挟装された第３リンク部材３Ｃの他端部が、第３枢軸４Ｃによって連枢されており、上記の挟着板３ｋには、後に詳記する締着用部材５のために締着用孔３ｐが一対だけ上下配置で穿設され、これに対向して第２挟着用リンク部材３Ｅにおける押当板３ｊにも、締着用孔３ｑが穿設されている。
【００１６】
ここで請求項２につき説示すると、請求項１と相違するところは当該構成に前記したステイ機構部Ｓを付加するようにしてステイヒンジとしての機能を具備させた点にあり、当該ステイ機構部ｓとしては既知のもの、または新規なものを選定し、これを上記した構成部材の所望箇所に装設すればよいことになる。
さらに、請求項３の場合には、上記ステイ機構部ｓにつきこれを特定するようにしている。すなわち前説の第２リンク部材３ｂにおける他端部と、第３リンク部材３ｃとを連枢するに際して用いられている第２枢軸４Ｂに、ステイ機構部ｓを内蔵させるのである。
そして当該ステイ機構部ｓとしては、従来例の如くコイルスプリングを用いたり、粘性流体を用いたダンパーを採用したりすることができ、これにより扉２につき、これを所望の開扉角度に保持したり、この状態を解除したりするための機構などを内蔵させることで実現し得ることになる。
【００１７】
ここで、上記の請求項１ないし請求項３における締着用部材５の一実施態様として請求項４に開示の内容につき説示すると、図１に示す如く第１挟着用リンク部材３Ｄと、側板１ｂの挟持側板部１ｅと、さらに第２挟着用リンク部材３Ｅの押当板３ｊに、順次嵌装される締着用ボルト５ａと、そしてこの締着用ボルト５ａに螺合して第１挟着用リンク部材３Ｄか、逆に押当板３ｊの何れかに締着されることとなるナット５ｂとによって構成されたもので、この際図示例では前説の通り締着用部材５が、その上記した一対の締着用ボルト５ａを、締着用孔３ｐそして締着用孔３ｑを用いることで締着の目的を達成するようにしてある。
【００１８】
これに対して請求項５に係る締着用部材５の構成は、図２と図３により開示の通り第２挟着用リンク部材３Ｅに形成されている押当部３ｊから直交状に突設されている螺杆５ｃと、この螺杆５ｃが第１挟着用リンク部材３Ｄに嵌挿されて突出の先端螺部５ｄに螺合して、この第１挟着用リンク部材３Ｄに締着される螺杆ナット５ｅとからなっており、このことで請求項４の締着用部材と同等以上の信頼性をもって、側板１ｂにおける挟持側板部１ｅを強固に締着することができる。
【００１９】
【発明の効果】
本発明は以上のようにして構成されているので、請求項１によるときは、第１挟着用リンク部材と、第２挟着用リンク部材とによって、扉取付けにおける挟持側板部を締着用部材によって締着し、このことと第１リンク部材を扉に固着することによって、その取着強度を充分に強化でき、この結果大きな外力を受けることになるヒンジにあっても、充分な耐久性を確保でき、長期にわたり取着状態が弛緩してしまうといった問題を解消することができる。
【００２０】
次に請求項２では、上記請求項１の構成にあって、これにステイ機構部を付加するようにしたので、上記請求項１の効果に加えて、ステイヒンジとしても望ましい扉の所定開扉角度保持機能を兼備させることが可能となり、さらに請求項３にあっては、ステイ機構部が第２、第３リンク部材を連枢する第２枢軸に内蔵されるようにしたので、外観的な商品価値を向上でき、またステイ機構部における例えばコイルスプリングにより、指先を挟んでしまうといった心配もなくなり、またステイ機構部として粘性流体を用いたダンパーを採用したり、所望の開扉角度を保持させたり、この状態を解除するための機構などを内蔵させるといったことも実現し易いこととなる。
【００２１】
次に請求項１ないし請求項３における前記の締着用部材としては、もちろん各種のものを採択することが可能であるが、請求項４に係る締着用ボルトとナットによるときは、ナットを何れの側からでも螺嵌できて作業性がよく、請求項５による締着用ボルトによるときは、予め螺杆が第２挟着用リンク部材に固着されていることから、当該螺杆を挟着板に貫挿して、その先端螺部に螺杆用ナットを螺合すればよいので操作性が良好となる。
【図面の簡単な説明】
【図１】本願請求項１ないし請求項３に係るヒンジについて、請求項４の締着用部材を用いた一実施態様を示した平面図である。
【図２】本願請求項１ないし請求項３に係るヒンジについて、請求項５の締着用部材を用いた一実施態様を示した平面図である。
【図３】図２に示したヒンジの正面図である。
【図４】図１に示したヒンジの分解斜視図である。
【図５】図１に示したヒンジの縮小状態における斜視図である。
【図６】従来例によるステイヒンジの一例を示した斜視説明図である。
【符号の説明】
１    扉取付体
１ａ  側板開口部
１ｂ  側板
１ｃ  先出側端部
１ｄ  内向側板部
１ｅ  挟持側板部
１ｆ  内側面
１ｇ  外側面
２    扉
２ａ  扉の基端部
２ｂ  扉の裏面端側
２ｃ  扉自由端側
３Ａ  第１リンク部材
３Ｂ  第２リンク部材
３Ｃ  第３リンク部材
３Ｄ  第１挟着用リンク部材
３Ｅ  第２挟着用リンク部材
３ｉ  基板部
４Ａ  第１枢軸
４Ｂ  第２枢軸
４Ｃ  第３枢軸
４Ｄ  第４枢軸
５    締着用ボルト
５ａ  締着用ボルト
５ｂ  ナット
５ｃ  螺杆
５ｄ  先端螺部
５ｅ  螺杆用ナット
θ１  開扉角度
θ２  閉扉角度
Ｓ    ステイ機構部
【図１】
0003683777.tif 000002
【図２】
0003683777.tif 000003
【図３】
0003683777.tif 000004
【図４】
0003683777.tif 000005
【図５】
0003683777.tif 000006
【図６】
0003683777.tif 000007